(57)【特許請求の範囲】
【請求項１】
下記一般式（１）で表される化合物（ａ）、及び下記一般式（２）で表される化合物（ｂ）を含有するしわ除去剤組成物。
Ｒ1−Ｙ−［（ＰＯ）m／（ＥＯ）n］−Ｈ      （１）
〔式中、Ｒ1は炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
Ｒ2−Ｚ−ＣＨ2ＣＨ（ＯＨ）ＣＨ2ＯＨ      （２）
〔式中、Ｒ2は炭素数５〜２０の炭化水素基であり、Ｚは−Ｏ−、又は−ＣＯＯ−のいずれかである。〕
【発明の詳細な説明】
【技術分野】
【０００１】
本発明は、しわ除去剤組成物、及びしわ除去方法に関する。
【背景技術】
【０００２】
スーツ等のドライクリーニング衣類は家庭での水洗いが困難であり、それらのしわ取り方法については、一般にアイロンがけやスチームプレス等の熱処理を行う方法があるが、手間がかかる作業である上、風合いを損ねる場合がある。これまでに、熱処理を行わずに衣類のしわを伸ばす技術が開示されているが、しわ除去効果は不十分である。
【０００３】
特許文献１にはヘキシレングリコールやイソプレングリコール等の特定の水溶性溶剤と水を組み合わせた組成物を衣類のしわ部にスプレーした後、放置するだけでしわ部を取り除く技術が記載されているが、この方法では衣類についた軽いしわは取り除けるが、深いしわを完全に除去するのは困難である。特許文献２にはシリコーンと皮膜形成ポリマーからなるしわ低減組成物、及び特許文献３には特定のアルコール、グリセリン、非イオン性界面活性剤と水から成るしわ取り用水性組成物に関する技術が開示されており、どちらも布帛にスプレー噴霧した後で吊り下げて自然乾燥するか、アイロンがけを行うことでしわを除去する技術が記載されているが、自然乾燥だけでは十分にしわを除去することができず、またアイロンがけはしわ取りには非常に効果的であるが、手間が掛かる作業である上、風合いを損ねる可能性がある。特許文献４にはカルボン酸部分を含むポリマー組成物によるしわ除去効果に関する技術が記載されているが、しわ除去性能は十分ではない。
【０００４】
かかる状況から、繊維製品に対して、アイロンがけやスチームプレス等の熱処理を行わなくても、風合いを損なうことなく繊維製品のしわを除去することができるしわ除去剤組成物の開発が望まれていた。
【特許文献１】特開平１０−２５６６０号公報
【特許文献２】特開平１０−０５８９１１号公報
【特許文献３】特開平１−６１７４号公報
【特許文献４】特開２００３−５３３５９８号公報
【発明の開示】
【発明が解決しようとする課題】
【０００５】
本発明は、アイロンがけやスチームプレス等の熱処理を行わなくても、風合いを損なうことなく繊維製品のしわを除去することができるしわ除去剤組成物を提供することを課題とする。
【課題を解決するための手段】
【０００６】
本発明は、下記一般式（１）で表される化合物（ａ）〔以下、（ａ）成分という〕、及び下記一般式（２）で表される化合物（ｂ）〔以下、（ｂ）成分という〕を含有するしわ除去剤組成物に関する。
Ｒ1−Ｙ−［（ＰＯ）m／（ＥＯ）n］−Ｈ      （１）
〔式中、Ｒ1は炭素数１０〜２２の炭化水素基であり、ＰＯはＣ3Ｈ6Ｏを示し、ＥＯはＣ2Ｈ4Ｏを示し、ｍ及びｎはそれぞれ平均付加モル数を示し、ｍは３〜１００、ｎは１〜１０の数であり、（ＰＯ）と（ＥＯ）はランダム付加でもブロック付加でもいずれでもよく、（ＰＯ）と（ＥＯ）の付加順序は問わない。Ｙは、−Ｏ−、−ＣＯＯ−、−ＣＯＮＨ−又は−ＮＨＣＯ−のいずれかである。〕
Ｒ2−Ｚ−ＣＨ2ＣＨ（ＯＨ）ＣＨ2ＯＨ      （２）
〔式中、Ｒ2は炭素数５〜２０の炭化水素基であり、Ｚは−Ｏ−、又は−ＣＯＯ−のいずれかである。〕
【発明の効果】
【０００７】
本発明のしわ除去剤組成物は、アイロンがけやスチームプレス等の熱処理を行わなくても、風合いを損なうことなく繊維製品のしわを除去することができる。
【発明を実施するための最良の形態】
【０００８】
＜（ａ）成分＞
（ａ）成分の一般式（１）において、Ｒ1は炭素数１０〜２２の炭化水素基であり、好ましくは炭素数１２〜２０、より好ましくは１２〜１８のアルキル基又はアルケニル基であり、更に好ましくは、炭素数１６〜１８のアルキル基である。また、オキシプロピレン基（Ｃ3Ｈ6Ｏ基、以下、ＰＯと表記する場合もある）の平均付加モル数であるｍは３〜１００、好ましくは３〜６０、より好ましくは１０〜６０の数であり、オキシエチレン基（Ｃ2Ｈ4Ｏ基、以下、ＥＯと表記する場合もある）の平均付加モル数であるｎは１〜１０、好ましくは１〜９、より好ましくは１〜８の数であり、ＰＯとＥＯのモル比ｍ／ｎは好ましくは３〜１２、より好ましくは４〜１０である。Ｙは、より好ましくは−Ｏ−又は−ＣＯＯ−であり、更に好ましくは−Ｏ−であり、（ＰＯ）と（ＥＯ）は、ランダム付加でもブロック付加でもよく、（ＰＯ）と（ＥＯ）の付加順序は問わないが、好ましくはブロック付加であり、中でも下記一般式（３）で表される化合物がより好ましい。なお、ＰＯ、ＥＯの平均付加モル数はＮＭＲにより求めることができる。
Ｒ1−Ｏ−（ＰＯ）m−（ＥＯ）n−Ｈ    （３）
【０００９】
＜（ｂ）成分＞
本発明では、（ａ）成分と（ｂ）成分とを併用することにより、（ａ）成分のシワ除去性能が向上し、且つ、風合いの観点からも満足の得られるしわ除去剤組成物が得られる。
【００１０】
（ｂ）成分の一般式（２）において、Ｒ2は炭素数５〜２０の炭化水素基であり、好ましくは炭素数５〜１８、より好ましくは５〜１６、更に好ましくは５〜１２の直鎖もしくは分岐鎖のアルキル基又はアルケニル基であり、特に好ましくは、炭素数６〜１０の直鎖もしくは分岐鎖のアルキル基であり、Ｚは、−Ｏ−又は−ＣＯＯ−のいずれかであるが、−Ｏ−がより好ましい。
【００１１】
＜しわ除去剤組成物＞
本発明のしわ除去剤組成物中の（ａ）成分、（ｂ）成分の含有量は、使用形態、繊維製品の種類、しわの程度によって適宜調整することができる。
【００１２】
（ａ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００１３】
（ｂ）成分の組成物中の含有量は、通常０．０１質量％以上、好ましくは０．０１〜１０質量％、より好ましくは０．０１〜８質量％、更に好ましくは０．０１〜５質量％、更に好ましくは０．０１〜３質量％、特に好ましくは０．０１〜２質量％である。
【００１４】
（ａ）成分の効果を更に高めるうえで（ａ）成分、及び（ｂ）成分の配合比率は、（ａ）／（ｂ）の質量比で、好ましくは１０／１〜１／１０、より好ましくは８／１〜１／８、更に好ましくは５／１〜１／５、更に好ましくは４／１〜１／４、特に好ましくは３／１〜１／３である。
【００１５】
本発明のしわ除去剤組成物において、（ａ）成分、（ｂ）成分以外の残部は水とすることができる。また必要に応じて、本発明の効果を損なわない範囲で、更に、界面活性剤、多価アルコール、消臭剤、及び一般に添加される各種の溶剤、ゲル化剤、硫酸ナトリウムやＮ，Ｎ，Ｎ−トリメチルグリシン等の塩、ｐＨ調整剤、酸化防止剤、防腐剤、殺菌・抗菌剤、香料、色素、紫外線吸収剤等の他の成分を添加することができる。
【００１６】
界面活性剤としては、特に制限はなく、非イオン性界面活性剤、陽イオン性界面活性剤、陰イオン性界面活性剤、及び両性界面活性剤の中から選ばれる１種種以上が挙げられる。これらの中では、非イオン性界面活性剤が好ましく、下記一般式（４）で表される化合物が、しわ除去性能の点から、特に好ましい。
Ｒ3−Ｚ−［（ＥＯ）s／（ＰＯ）t］−Ｒ4        （４）
〔式（４）中、Ｒ3は、炭素数１０〜２２のアルキル基又はアルケニル基であり、Ｒ4は、水素原子、又は炭素数１〜３のアルキル基であり、Ｚは−Ｏ−又は−ＣＯＯ−のいずれかであり、ＥＯは、オキシエチレン基であり、ＰＯはオキシプロピレン基であり、（ＥＯ）と（ＰＯ）はランダム付加でもブロック付加でもいずれでもよく、（ＥＯ）と（ＰＯ）の付加順序は問わない。ｓ及びｔは平均付加モル数であり、ｓ＋ｔの合計は５〜１５の数であり、ｔは２以下の数である。〕
【００１７】
しわ除去性能向上の観点から、一般式（４）で表される化合物のＲ3は、好ましくは炭素数１０〜１８、より好ましくは炭素数１０〜１６、更に好ましくは炭素数１０〜１４のアルキル基又はアルケニル基であり、Ｒ4は、好ましくは水素原子、又は炭素数１〜２のアルキル基、より好ましくは水素原子又はメチル基、更に好ましくは水素原子である。
【００１８】
また、一般式（４）のｓは、好ましくは５〜１４の数、より好ましくは５〜１３、更に好ましくは５〜１２であり、ｔは好ましくは０である。一般式（４）で表される化合物としては、ポリオキシエチレン（ｎ＝６〜１２）ラウリルエーテル、ポリオキシエチレン（ｎ＝５〜１２）モノアルキル（炭素数１２〜１４の２級の炭化水素基）エーテル、ラウリン酸ポリオキシチレン（ｎ＝６〜１３）メチルエーテルから選ばれる１種以上が特に好ましい。ここで、ｎはオキシエチレン基の平均付加モル数である。
【００１９】
溶剤としては、水、エタノール、イソプロパノール等の低級（炭素数３〜４）アルコール類、エチレングリコール、プロピレングリコール、グリセリン、ソルビトール等の多価アルコール類（炭素数２〜１２）、エチレングリコールやプロピレングリコールのモノエチル又はモノブチルエーテル、ジエチレングリコールやジプロピレングリコールのモノエチル又はモノブチルエーテル、ベンジルアルコール、ベンジルオキシエタノール、フェノール性化合物のエチレンオキシド又はプロピレンオキシド付加物等が挙げられる。
【００２０】
本発明のしわ除去剤組成物の２５℃におけるｐＨは６〜９．５に調整することが好ましく、皮膚刺激低減の観点から、ｐＨは６．５〜９．５が好ましく、６．８〜９が更に好ましい。
【００２１】
本発明のしわ除去剤組成物のｐＨは、塩酸等の酸、又は水酸化ナトリウム等のアルカリを添加することにより調整することができる。
【００２２】
本発明のしわ除去剤組成物の使用形態は、液状、ゲル状、粉状、粒状等の固体状とすることができる。液状の場合には、特にスプレー、ローション等として繊維製品に用いることができる。本発明のしわ除去剤組成物は、特に液状、更に水系しわ除去剤組成物としてミストタイプのスプレー容器に充填し、一回の噴霧量を０．１〜１ｍｌに調整したものが好ましい。使用するスプレー容器としては、トリガースプレー容器（直圧あるいは蓄圧型）やディスペンサータイプのポンプスプレー容器等の公知のスプレー容器を用いることができる。すなわち、本発明では、本発明のしわ除去剤組成物、特に液状のしわ除去剤組成物をスプレー容器に充填してなるスプレー式しわ除去剤を得ることができる。本発明の組成物は、噴霧により繊維製品に付着させて、対象物のしわを低減させることが好ましく、前記スプレー式しわ除去剤はこの方法に好適に用いられる。繊維製品としては、スーツ、セーター等の衣類、カーテン、ソファー等が挙げられる。
【実施例】
【００２３】
実施例１〜５及び比較例１〜２
＜しわ除去剤組成物の調製＞
表１に示す配合処方のしわ除去剤組成物を調製した。なお、非イオン性界面活性剤としては、炭素数１２の直鎖第１級アルコールにエチレンオキサイドを平均８モル付加させたものを使用し、抗菌剤としてはプロキセルＢＤＮ（アビシア株式会社製、１０％水溶液）を使用し、香料としては、ケイ皮酸エチル５質量部、酢酸リナリル１０質量部、リラール１５質量部、ヘキシルシンナミックアルデヒド１０質量部、パーライド１０質量部、フェニルエチルアルデヒド２０質量部、セダーアルコール１０質量部、及びリモネン２０質量部からなる調合香料を使用し、得られた組成物は、ｐＨ調整剤である１規定の塩酸又は１／１０規定の水酸化ナトリウム水溶液でｐＨ８（２５℃）に調整した。表１中の記号の成分は下記のとおりである。
【００２４】
（ａ）成分
・ａ−１：一般式（３）中のＲ1が炭素数１８の直鎖アルキル基、ｍが３８、ｎが６の数である化合物
・ａ−２：一般式（３）中のＲ1が炭素数１６の直鎖アルキル基、ｍが１５、ｎが３の数である化合物
・ａ−３：一般式（３）中のＲ1が炭素数１２の直鎖アルキル基、ｍが２５、ｎが３の数である化合物
・ａ−４：一般式（１）中のＲ1が炭素数１８の直鎖アルキル基、Ｙが−Ｏ−、ｍが３８、ｎが６の数であり、Ｒ1−Ｙ−に（ＥＯ）と（ＰＯ）がこの順でブロック付加した化合物〔Ｒ1−Ｙ−（ＥＯ）n−（ＰＯ）m−Ｈの化合物〕
・ａ−５：一般式（１）中のＲが炭素数１８の直鎖アルキル基、Ｙが−Ｏ−、ｍが３０、ｎが５の数であり、（ＰＯ）と（ＥＯ）がランダム付加である化合物
【００２５】
（ｂ）成分
・ｂ−１：一般式（２）中のＲ2が炭素数６の直鎖アルキル基、Ｚが−Ｏ−である化合物
・ｂ−２：一般式（２）中のＲ2が２−エチルヘキシル基、Ｚが−Ｏ−である化合物
・ｂ−３：一般式（２）中のＲ2が炭素数７の直鎖アルキル基、Ｚが−ＣＯＯ−である化合物
【００２６】
＜しわ除去効果＞
（１）しわつけ方法
ウール生地（ウールサージ、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りをのせ、２４時間放置することによって、これをしわ除去評価のモデルじわとした。
【００２７】
（２）しわ除去方法
上記方法にて作成したモデルじわのついた試験布に対し、表１に示すしわ除去剤組成物をスプレー容器（キャニオン製、Ｔ−７５００）を用いて試験布乾燥時質量に対して５０質量％噴霧した後、２５℃／５０％ＲＨの恒温室に１２時間放置し、自然乾燥させた。乾燥終了後、試験布のしわの取れ具合を判定した。
【００２８】
（３）しわ除去性能評価
判定は、しわ除去剤組成物をスプレー処理した布と、処理前の布（対照）とを、熟練した５人のパネラーに下記の基準で採点してもらい、平均点を求め、表に示した。評価は平均点３未満が好ましい。
１：全くしわがない
２：ほとんどしわがない
３：僅かにしわが残っている
４：相当しわが残っている
５：著しくしわが残っている
【００２９】
＜風合い評価＞
ウール生地（ウールサージ、（株）谷頭商店）からなる試験布４０ｃｍ×４０ｃｍに対し、表１に示すしわ除去剤組成物を、試験布乾燥時質量に対して５０質量％噴霧した後、２５℃／５０％ＲＨの恒温室に１２時間放置し、自然乾燥させた。乾燥終了後、試験布の風合いを判定した。判定は、しわ除去剤組成物をスプレー処理した布と、処理前の布（対照）とを、熟練した５人のパネラーに下記の基準で採点してもらい、平均点を求め、表に示した。評価は平均点が０を超え１以下であることが好ましい。
＋１：対照品より滑らか
０：対照品と同等
−１：対照品のほうが滑らか
【００３０】
【表１】
0004781852.tif 000002
【００３１】
表１から、比較例１及び２の組成物は風合い付与効果が不十分であり、更に比較例１はしわ除去性能も不十分となるのに対し、実施例１〜５のしわ除去剤組成物は、しわ除去性能が高く、しかも風合い付与効果も良好であることが分かる。